(57)【要約】【課題】室外機と室内機を配管接続するとき、接続配管を室外機熱交換器側で、接続配管を整理する。その時熱交換器が接続配管で妨害され、熱交換する面積が少なくなり性能が低下する。また接続配管を室外機の裏面で整理するため壁面との間に広いスペ−スが必要となり、また天板の強度も弱く室外機本体の振動が発生するという課題を有していた。【解決手段】天板３に凹状の溝１２を設けることにより室外機１と室内機を接続する場合、天板３の凹状の溝１２に接続配管１１を嵌め込むことで室外機１の熱交換器８側に接続配管１１を通す必要がなくなり、接続配管１１で熱交換器８を妨害すること防止できる。また室外機吸込み面の熱交換器８と壁面１４との空間スペ−スを最小限に抑えることができ、さらに天板３の強度も向上し静音化もはかることができる。【選択図】図１
2007010192.tif 000002
【特許請求の範囲】
【請求項１】
底板と、天板と、吹出グリルを有する前板と、左右の側板と、後面に配設された熱交換器とを備えて構成された室外機箱体を備え、前記天板の長手方向に少なくとも室内機との接続配管が収まる凹状の溝を設け、前記側板の一方より出た接続配管を前記天板の溝を通して前記側板の他方側へ引き回すことができるようにしたことを特徴とする空気調和機の室外機。
【請求項２】
天板に設けられた凹状の溝の上部に封止板を設けたことを特徴とする請求項１に記載の空気調和機の室外機。
【請求項３】
底板と、天板と、吹出グリルを有する前板と、左右の側板と、後面に配設された熱交換器とで構成された室外機箱体を備え、前記室外機箱体の底面の長手方向に少なくとも室内機との接続配管が収まる通路を設け、前記側板の一方より出た接続配管を前記通路を通して前記側板の他方側へ引き回すことができるようにしたことを特徴とする空気調和機の室外機。
【請求項４】
底板の底面に凹状の溝を形成して接続配管が収まる通路を設けたことを特徴とする請求項３に記載の空気調和機の室外機。
【請求項５】
室外機箱体の底面の四隅近傍にそれぞれ脚を配設するとともに、底板の底面に凹状の溝を形成して接続配管が収まる通路を設けたことを特徴とする請求項３に記載の空気調和機の室外機。
【請求項６】
室外機箱体の底面の四隅近傍にそれぞれ所定の高さの脚を配設して接続配管が収まる通路を設けたことを特徴とする請求項３に記載の空気調和機の室外機。
【発明の詳細な説明】
【技術分野】
【０００１】
本発明は空気調和機の室外機に関するものである。
【背景技術】
【０００２】
従来、一般的に空気調和機の室内機と室外機を接続配管にて接続し、特に室外機から出た配管を反対側側面方向に引き回す場合、室外機の後面（室外熱交換側）を通すのが一般的である（例えば、特許文献１参照）。
【０００３】
図１０は、従来の空気調和機の室外機の斜視図を示すものである。図１０に示すように、底板２と天板３と吹出グリル４を有した前板５と左側板６と右側板７と後面に配設された熱交換器８とにより直方体形状の箱体に構成され、底面の短手方向に２本の脚９を有した空気調和機の室外機１において、右側板７に設けられた配管取出口１０から出た接続配管１１を左側板６側に接続させる場合、大抵接続配管１１を人目につきにくい室外機１の後面（室外熱交換器８側）を通し、配管接続作業をされる構成となっている。
【特許文献１】特開２００３−７４９１０号公報
【発明の開示】
【発明が解決しようとする課題】
【０００４】
しかしながら、前記従来の構成では、室外機内部で接続された接続配管を右側板に設けられた配管取出口から取り出し室内機に配管接続するとき、室外機設置場所より左方向に配管を引き回す場合、接続配管は室外機箱体の後側の熱交換器前面を通して接続配管を整理することが一般的である。しかしその場合、室外機内部の送風機による熱交換器の外気吸い込みが接続配管で妨害され、熱交換する面積が少なくなり空気調和機の性能が低下する。また、接続配管を室外機の後面で整理するため、室外機吸込み面と裏側壁面との間に配管を収納したり作業したりする広い空間スペ−スが必要になる。また、室外機を２段積みにして設置したときには、上段の接続配管が宙に浮いた状態となって、外観を損なうとともに作業性も悪いものであった。さらに、天板も平板状に近く、強度が不足して室外機本体の振動による騒音が発生しやすいという課題を有していた。
【０００５】
本発明は、前記従来の課題を解決するもので、天板に凹状の溝を設けることにより室外機設置場所より左方向に接続配管を引き回す場合、室外機吸込み面の熱交換器が接続配管で妨害されること防止し、また室外機吸込み面と後側壁面との空間スペ−スを最小限に抑えるとともに設置時の外観と作業性を向上し、さらに天板の強度を上げることで静音化を図ることができる空気調和機の室外機を提供することを目的とする。
【課題を解決するための手段】
【０００６】
前記従来の課題を解決するために、本発明の空気調和機用室外機は、天板の長手方向に少なくとも室内機との接続配管が収まる凹状の溝を設けることにより、接続配管を反対側の側板方向に引き回す場合には接続配管をこの溝に収納することができ、室外機吸込み面の熱交換器が接続配管で妨害されること防止し、また、天板の強度を上げることができる。
【０００７】
また、室外機箱体の底面の長手方向に少なくとも室内機との接続配管が収まる通路を設けることにより、接続配管を反対側の側板方向に引き回す場合には接続配管をこの通路に収納することができ、室外機吸込み面の熱交換器が接続配管で妨害されること防止することができる。
【発明の効果】
【０００８】
本発明の空気調和機の室外機は、接続配管を室外機箱体の天板の溝又は底面の通路に収納することにより、室外機吸込み面の熱交換器が接続配管で妨害されることを防止することで、空気調和機自体の性能が低下を防止することができる。また、室外機設置において、室外機吸込み面と後側壁面との空間スペ−スを最小限に抑えるとともに、設置時の外観と作業性を向上することができ、さらに天板の強度を上げることで静音化を図ることができる。
【発明を実施するための最良の形態】
【０００９】
第１の発明は、底板と、天板と、吹出グリルを有する前板と、左右の側板と、後面に配設された熱交換器とで構成された室外機箱体を備え、前記天板の長手方向に少なくとも室内機との接続配管が収まる凹状の溝を設け、前記側板の一方より出た接続配管を前記天板の溝を通して前記側板の他方側へ引き回すことができるようにしたことにより、接続配管を反対側の側板方向に引き回す場合には接続配管をこの溝に収納することができ、室外機吸込み面の熱交換器が接続配管で妨害されること防止することで、空気調和機自体の性能が低下を防止することができる。また、室外機吸込み面と後側壁面との空間スペ−スを最小限に抑えるとともに、設置時の外観と作業性を向上することができ、さらに天板の強度も向上して静音化も図ることができる。
【００１０】
第２の発明は、特に、第１の発明の空気調和機の室外機において、天板に設けられた凹状の溝の上部に封止板を設けることにより、接続配管の浮き上がりなどを防止することができ、接続配管後の室外機の外観を向上することができる。
【００１１】
第３の発明は、底板と、天板と、吹出グリルを有する前板と、左右の側板と、後面に配設された熱交換器とで構成された室外機箱体を備え、前記室外機箱体の底面の長手方向に少なくとも室内機との接続配管が収まる通路を設け、前記側板の一方より出た接続配管を前記通路を通して前記側板の他方側へ引き回すことができるようにすることにより、接続配管を反対側の側板方向に引き回す場合には接続配管をこの通路に収納することができ、室外機吸込み面の熱交換器が接続配管で妨害されること防止することで、空気調和機自体の性能が低下を防止することができる。また、室外機吸込み面と後側壁面との空間スペ−スを最小限に抑えるとともに、設置時の外観と作業性を向上することができる。
【００１２】
第４の発明は、特に、第３の発明の空気調和機の室外機において、底板の底面に凹状の溝を形成して接続配管が収まる通路を設けたものであり、さらに底板の強度向上を図ることができる。
【００１３】
第５の発明は、室外機箱体の底面の四隅近傍にそれぞれ脚を配設するとともに、底板の底面に凹状の溝を形成して接続配管が収まる通路を設けたもので、脚の高さと溝とで断熱材を含めた配管の直径以上の空間を確保すればよく、溝が浅くて済むため成形が容易になる。
【００１４】
第６の発明は、室外機箱体の底面の四隅近傍にそれぞれ所定の高さの脚を配設して接続配管が収まる通路を設けたものであり、脚の高さだけで断熱材を含めた配管の直径以上の空間を確保するもので、通路が長手方向だけでなく短手方向にも形成でき、底面の任意の場所から任意の方向へ配管を配設することができて設置の自由度が向上する。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機の斜視図、図２は室外機の天板の断面図、図３は室外機の壁面設置の状態を示す平面図である。
【００１７】
図１、図２において、本発明の空気調和機の室外機１は、２個の脚１を底面に有する底板２と、天板３と、室外ファン（図示せず）を保護するために設けられた吹出グリル４を有する前板５と、左側板６および右側板７と、後面に熱交換器８とを備えて箱体に構成されている。長方形の天板３の長手方向には、接続配管１１が収納できるだけの幅と深さを有する凹状の溝１２を設けている。室外機１は室内機（図示せず）と接続配管１１により接続され、接続配管１１は往路１１ａと復路１１ｂとの２本からなって、それぞれ配管断熱材１１ｃにより保温されている。室外機１の内部で右側板７側には、接続配管１１の一方の端を接続する操作弁１３が２本分配設され、接続配管１１は右側板７の配管取出口１０を貫通するように構成されている。
【００１８】
以上のように構成された空気調和機について、以下その作用を説明する。例えば、図３に示すように室外機１を室外機後面の熱交換器８側を壁１４際に寄せて設置した上、室内機の位置などにより接続配管１１を左側板６側に引き回す場合を考える。このような場合には、図１に示すように、配管取出口１０より引き出した接続配管１１を右側板７に沿って天板３まで立ち上げ、天板３位置で左側板６方向へ折り曲げる。こうして方向転換した接続配管１１を天板３の溝１２に嵌め込んで収納する。
【００１９】
このように、天板３の凹状の溝１２に接続配管１１を収納することで室外機後面の熱交換器８側と壁１４との間に接続配管１１を通す必要がなくなるため、接続配管１１で熱交換器８を妨害すること防止し、また室外機後面の熱交換器８と壁１４との空間スペ−スを最小限に抑えるとともに、作業性を向上することができる。また、天板３の強度も向上して振動を防止し、静音化を図ることができる。
【００２０】
（実施の形態２）
図４は、本発明の第２の実施の形態における空気調和機の室外機の斜視図、図５はその室外機の天板の断面図、図６はその室外機を複数台縦方向に設置した斜視図である。
【００２１】
図４〜図６において、天板３に設けられた凹状の溝１２に接続配管１１を嵌め込んだ後、封止板１６で溝１２を覆っている。このように構成することにより、接続配管１１が溝１２からはみ出さないようにして接続配管１１の変形や破損などを防止することができ、また室外機１を設置後の外観を向上することができる。
【００２２】
また、図６に示すように室外機１を縦方向に複数台設置した場合でも、接続配管１１の変形や破損などの防止はもちろんのこと、前後にはみ出したりして外観を損なうことがなく、作業性を向上することができる。なお、縦方向設置の場合には強固な転倒防止の方策が図られることは言うまでもない。
【００２３】
（実施の形態３）
図７は、本発明の第３の実施の形態における空気調和機の室外機の斜視図、図８はその室外機の底板の斜視図、図９（ａ），（ｂ），（ｃ）は、図８の断面図でそれぞれ異なった実施例を示すものである。図９（ａ）は、底板２ａの底面に逆凹状で接続配管１１が通過できる所定の寸法を有する溝１５を設け、２本の脚９ａが配設された部分だけは囲まれた形状の配管通路１５ａとしたものである。図９（ｂ）は、溝１５ｂを浅めに形成し、脚９ｂを分割して底板２ｂの四隅近傍に配設し、溝１５ｂの深さと脚９ｂの高さとで接続配管１１が通過できる所定の寸法を確保して配管通路１５ｂとしたものである。図９（ｃ）は、底板２ｃには溝１５は設けず、分割して配設した脚９ｃの高さを接続配管１１が通過できる所定の寸法として配管通路１５ｃとしたものである。
【００２４】
図７〜図９（ａ）および図９（ｂ）において、底板２，２ａ，２ｂの底面に下向きの凹状で接続配管１１が通過できる寸法を有する溝を設けて配管通路１５，１５ａ，１５ｂとしている。これにより、室外機１の設置場所により右側板７側から左側板６側へ接続配管１１を引き回す場合、底板２，２ａ，２ｂの底面に設けられた配管通路１５，１５ａ，１５ｂに接続配管１１を通して室内機と接続することにより、室外機後面の熱交換器８が接続配管１１で妨害されることを防止し、また室外機後面と壁１４との空間スペ−スを最小限に抑えることができる。また、底板２，２ａ，２ｂの強度を向上することができる。
【００２５】
中でも図９（ｂ）の配管通路１５ｂは、脚９ｂの高さと底板２ｂの溝とで断熱材を含めた接続配管１１の直径以上の空間を確保すればよく、溝深さが浅くて済むため成形が容易になるとともに、室外機１を短手方向に傾けることで接続配管１１を配管通路１５ｂに通すことが可能となって作業性が向上する。
【００２６】
図９（ｃ）においては、底板２ｃには溝を設けずに、分割して配設した脚９ｃの高さを接続配管１１が通過できる寸法を確保することによって配管通路１５ｃを形成しており、この場合に限っては底板２ｃの下部は脚９ｃ部分を除いて全体に接続配管１１を通すことができ、底面２ｃの任意の場所から任意の方向へ接続配管１１を引き回して配設することができて設置の自由度が向上する。
【産業上の利用可能性】
【００２７】
以上のように、本発明にかかる空気調和機の室外機は、室外機吸込み面の熱交換器が接続配管で妨害されることを防止することで、空気調和機自体の性能が低下を防止することができる。また室外機設置において、室外機吸込み面と裏側壁面との空間スペ−スを最小限に抑えることが可能となるので、床置きタイプの空気調和機の室内機等にも適用できる。
【図面の簡単な説明】
【００２８】
【図１】本発明の実施の形態１における空気調和機の室外機の斜視図
【図２】同空気調和機の室外機の天板の断面図
【図３】同空気調和機の室外機の設置状態の平面図
【図４】本発明の実施の形態２における空気調和機の室外機の斜視図
【図５】同空気調和機の室外機の天板の断面図
【図６】同空気調和機の室外機複数台設置時の斜視図
【図７】本発明の実施の形態３における空気調和機の室外機の斜視図
【図８】同空気調和機の室外機の底板の斜視図
【図９】（ａ），（ｂ），（ｃ）同空気調和機の室外機の底板の断面図
【図１０】従来の空気調和機の室外機の斜視図
【符号の説明】
【００２９】
１  空気調和機の室外機
２  底板
３  天板
４  吹出グリル
５  前板
６  左側板
７  右側板
８  熱交換器
９，９（ａ），９（ｂ），９（ｃ）  脚
１１  接続配管
１２  溝
１５，１５（ａ），１５（ｂ），１５（ｃ）  配管通路
１６  封止板
【図１】
2007010192.tif 000003
【図２】
2007010192.tif 000004
【図３】
2007010192.tif 000005
【図４】
2007010192.tif 000006
【図５】
2007010192.tif 000007
【図６】
2007010192.tif 000008
【図７】
2007010192.tif 000009
【図８】
2007010192.tif 000010
【図９】
2007010192.tif 000011
【図１０】
2007010192.tif 000012